(57)【要約】      （修正有）【課題】ベーステープの幅が一定以上必要となり、電子タグとして幅的なサイズとして限界が生じてしまうことによって、対象となる物品によっては良好に対応できない場合が生じてしまうという点が解消され、又、読み取りや通信に不具合を生じてしまうという点も解消された電子タグを提供する。【解決手段】ベースとなるテープ材２に、物品監視用の磁気式タグ３と、個体識別情報を有するＩＣチップと送受信アンテナから構成される非接触式ＩＣタグ４を備えている電子タグ１において、前記した磁気式タグ３と非接触式ＩＣタグ４を直列に配置し、前記した非接触式ＩＣタグ４はＵＨＦ帯のものによって構成される。【選択図】図１
2012103766.tif 000002
【特許請求の範囲】
【請求項１】
ベースとなるテープ材に、物品監視用の磁気式タグと、個体識別情報を有するＩＣチップと送受信アンテナから構成される非接触式ＩＣタグを備えている電子タグにおいて、前記した磁気式タグと非接触式ＩＣタグを直列に配置してあることを特徴とする電子タグ。
【請求項２】
前記した非接触式ＩＣタグはＵＨＦ帯のものによって構成してあることを特徴とする請求項１に記載の電子タグ。
【請求項３】
前記した非接触式ＩＣタグの個体識別情報はＲＯＭによって構成してあることを特徴とする請求項１から２のうち１つに記載の電子タグ。
【請求項４】
前記した磁気式タグと非接触式ＩＣタグは部分的に重合されていることを特徴とする請求項１から３のうち１つに記載の電子タグ。
【請求項５】
前記した送受信アンテナの長さによってインピーダンス整合をとっていることを特徴とする請求項１から４のうち１つに記載の電子タグ。
【請求項６】
前記した非接触式ＩＣタグが単体で通信可能な状態にインピーダンス整合がとられており、かつ前記した磁気式タグを構成する金属部分に前記したＩＣチップが重合していないことを特徴とする請求項１から４のうち１つに記載の電子タグ。
【請求項７】
前記した電子タグは粘着層を介してキャリア層上に搭載されていることを特徴とする請求項１から６のうち１つに記載の電子タグ。
【発明の詳細な説明】
【技術分野】
【０００１】
本発明は電子タグに関し、その電子タグが具備された個体の不正持出し、特に万引き等の犯罪行為防止の機能を有する磁気式タグと、前記個体の識別、情報管理機能を有する非接触式ＩＣタグを共に有するテープタイプの電子タグに関する。
【背景技術】
【０００２】
磁気式タグは磁性体が電磁場に影響を与える特性を利用し、店舗や施設から商品や備品を不正に持ち出すことの防止を目的として使用されている。この磁気式タグは商品等の不正持出し防止を目的とするため、個体の個別な識別機能は有していない。
【０００３】
そこで、この磁気式タグに加えて、非接触式のＩＣタグを装備することで、対象となる個体の情報管理も同時に行なえることとした電子タグが開発された。
【先行技術文献】
【特許文献】
【０００４】
【特許文献１】特願２０１０−０８６２１０号出願書類
【発明の概要】
【発明が解決しようとする課題】
【０００５】
本願発明が解決しようとする問題点は特許文献１として示す電子タグの構成の場合、磁気式タグと非接触式ＩＣタグはベーステープの長さ方向に沿って並列もしくは重合させた構成となっているものであり、そのため、ベーステープの幅が一定以上必要となり、電子タグとして幅的なサイズとして限界が生じてしまうもので、対象となる物品によっては良好に対応できない場合も生じてしまう。
【０００６】
さらに、特許文献１として示す電子タグの構成の場合、非接触式ＩＣタグと磁気式タグがベーステープの長さ方向に沿って並列または重合させた構成となっているものであり、そのため、非接触式ＩＣタグの個別の識別番号をリーダ等の機器を使用して読み取る場合において、電子タグの幅方向に対する方向性に配慮する必要が生じている。すなわち、非接触式ＩＣタグ側から通信アクセスされる場合は、通信電波が配置的に磁気式タグを介さない位置にあるため比較的安定的に通信出来るのに対し、磁気式タグ側から通信アクセスされる場合、通信電波が磁気式タグを介する位置に存在することになるため、磁気式タグの影響を受けて通信距離が減少するなどの影響が生じることがあった。この問題点を解決するために、特許文献１として示す電子タグを使用する場合、電子タグの方向性を意識して物品へ貼付するなど、通信アクセスする方向を事前に考慮して行う必要が生じ、作業効率の低下や被管理物品への電子タグ貼付方向の間違えによる読取不良が生じてしまうことがあった。
【０００７】
また、磁気式タグと非接触式ＩＣタグを無条件に重合させた場合、特に非接触式ＩＣタグのＩＣチップと連通する励振スリットが磁気式タグと重なってしまい、情報信号の伝送として電力の損失や時間的にずれた信号が生じたりしてインピーダンス整合が取れなくなり、通信不能、機能低下を生じてしまうことがある。
【課題を解決するための手段】
【０００８】
上記した問題点を解決するために、本発明に係る電子タグはベースとなるテープ材に、物品監視用の磁気式タグと、個体識別情報を有するＩＣチップと送受信アンテナから構成される非接触式ＩＣタグを備えている電子タグにおいて、前記した磁気式タグと非接触式ＩＣタグを直列に配置してあることを特徴としている。
【０００９】
また、本発明に係る電子タグは前記した非接触式ＩＣタグはＵＨＦ帯のものとし、個体識別情報はＲＯＭによって構成してあることを特徴とし、前記した磁気式タグと非接触式ＩＣタグは部分的に重合されていることを特徴としている。
【００１０】
さらに、本発明に係る電子タグは前記した磁気式タグと非接触式ＩＣタグは、前記した送受信アンテナの長さによってインピーダンス整合をとっていることを特徴とし、前記した電子タグは粘着層を介してキャリア層上に搭載されていることを特徴としている。
【００１１】
さらに、非接触式ＩＣタグが単体で通信可能な状態にインピーダンス整合がとられており、かつ前記した磁気式タグを構成する金属部分に前記したＩＣチップが重合していないことを特徴としている。
【００１２】
また、非接触式ＩＣタグとしては、ＨＦ帯、ＵＨＦ帯、ＧＨｚ帯の３つの周波数帯域で一般的に大別される。本発明では、どの周波数帯域の非接触式ＩＣタグであっても使用可能であるが、特に９５０ＭＨｚから９５８ＭＨｚに代表されるＵＨＦ帯の非接触式ＩＣタグは、必要とされるアンテナ大きさ、金属が近接した場合の通信電波への影響挙動等を勘案すると、本発明に対する効果が最も大きい。
【００１３】
本発明に係る電子タグは上記のように構成されている。そのため、ベースとなるテープの幅は磁気式タグ及び直列とされた非接触式ＩＣタグの幅に相応するもので足りることとなり、従来に比して大きく細幅の電子タグを製造することができる。
【発明の効果】
【００１４】
ここで言うベースとなるテープ材は、非接触式ＩＣタグまたは磁気式タグを構成する一部分を使用することも出来る。この場合、電子タグの更なるコンパクト化が実現できる。
【００１５】
さらに非接触式ＩＣタグの個別の識別番号をリーダ等の機器を使用して読み取る場合において、磁気式タグが存在することによる通信電波への影響を低減でき、被管理物品への電子タグ貼付時において、電子タグの方向性の考慮が不要となり、電子タグ貼付作業自体の作業性も大幅に向上する。
【００１６】
また、本発明にあって、磁気式タグと非接触式ＩＣタグを部分的に重合させた場合、非接触式ＩＣタグのアンテナ大きさを調整することでインピーダンス整合をとり、通信状況を確保することができる。
【００１７】
さらに、本発明に係る電子タグは前記した非接触式ＩＣタグを構成するＩＣチップが、前記した磁気式タグを構成する金属部分と重合させないことによって、非接触式ＩＣタグのアンテナの長さを調整することなく、通信状態を確保することが可能となる。
【００１８】
ここで、インピーダンス整合をとる場合、磁気式タグを構成する金属部分が、送受信に使用されるアンテナの一部として機能させてもよく、更に言えば、磁気式タグを構成する金属部分が存在することにより、通信可能距離に代表されるＩＣタグ単体での通信状態を向上させる効果を生じさせる場合があることが本発明の過程で判明している。
【図面の簡単な説明】
【００１９】
【図１】本発明の基本構成を示す平面図である。
【図２】磁気式タグが常時ＯＮとなっているタイプを示す平面図である。
【図３】磁気式タグがＯＮ、ＯＦＦするタイプを示す平面図である。
【図４】断面図である。
【図５】他の例を示す断面図である。
【図６】部分的に重合させた基本構成を示す平面図である。
【図７】常時ＯＮとなっているタイプを示す平面図である。
【図８】ＯＮ、ＯＦＦするタイプを示す平面図である。
【図９】図７中の２Ａ−２Ａ´断面図である。
【図１０】図８中の２Ｂ−２Ｂ´断面図である。
【発明を実施するための形態】
【００２０】
図面として示し、実施例で説明したように構成したことで実現した。
【実施例１】
【００２１】
次に、本発明の好ましい実施の例を図面を参照して説明する。図面にあって１は本願発明を実施した電子タグを示している。本願発明の基本構成は図１に示すように、フレキシブルなプラスチック製のベースとなるテープ材２を有しており、このテープ材２の一方面に物品監視用としての磁気式タグ３と非接触式ＩＣタグ４を直列配置してあることにある。
【００２２】
ここで、磁気式タグ３、またはＩＣタグ４の一部分を構成する部材がテープ材２を兼ねることも出来、また、磁気式タグ３とＩＣタグ４とテープ材２が物理的にひとつの基材で構成されても、本発明の主旨から外れるものではない。
【００２３】
また、磁気式タグ３は常時ＯＮとするタイプにあっては図２に示すように磁気テープ３ａが用いられ、ＯＮ、ＯＦＦするタイプの場合には、図３に示すように所定間隔を隔てて前記磁気テープ３ａ上に、もしくは接続により磁気セグメント３ｂ、３ｂ‥が設けられる。また、磁気式タグ３は、物品監視用、一般的には商品の万引き等の不正持ち出し防止を目的として使用されるもの（磁性体と半硬質磁性体を組み合わせた構成又は磁性体のみの構成）であれば、特に限定されるものではないが、磁性体としては、好ましくは５ｍＯｅ，１ｋＨｚの励振磁界における初透磁率が１０００以上の高透磁率を持つ金属材料が良い。具体的には、Ｎｉ‐Ｆｅを主成分とするパーマロイ，Ｆｅ‐Ｓｉ合金，アモルファス合金等が挙げられ、なかでもＣｏ‐Ｆｅ‐Ｓｉ‐Ｂ，Ｃｏ‐Ｆｅ‐Ｎｉ‐Ｓｉ‐Ｂを主成分とするアモルファス金属材料は高透磁率特性を示すことから、特に好ましい。
【００２４】
尚、本願における磁性体材料の形態としては円形断面、楕円断面、多角形断面を有する線材や、細幅の矩形断面を有する薄板や薄帯のものを用いることができる。また、磁化過程において、ある特定の励磁磁界（逆磁区形成限界磁界値）において、急速に磁化反転を生じる大バルクハウゼン不連続という磁気特性を示すＦｅ‐Ｃｏ‐Ｓｉ‐Ｂを主成分とするアモルファス金属材料も本願発明の磁性体として好ましい材料に挙げられる。
また、特に磁気セグメント３ｂ、３ｂ‥に使用される半硬質磁性体としては、保持力が１０エルステッド以上５００エルステッド以下のものを用いることができ、種々のＦｅ合金やＣｏ合金を用いることができる。なかでもＦｅ‐Ｃｏ‐Ｃｒ系合金は、３０エルステッド以上１５０エルステッド以下の優れた半硬質磁気特性を示すので、本願発明に好ましい材料である。また、半硬質磁性材料としては、長さが３ｍｍ以上のものを用いれば、半硬質磁性材料が着磁した場合に磁性体材料（例えば、軟磁性体材料）に充分な失活性能を付与することができ、好ましい。
【００２５】
さらに、本実施例で用いられる非接触式ＩＣタグ４は、ＩＣチップ５と、そのＩＣチップ５と電気的に接続されているアンテナ６とから構成され、接着手段、例えば０．１７ｍｍ厚の両面テープによって固定されている。ここでアンテナ６はアルミニウムや銅等の金属もしくは合金の非磁性材料によって形成されている。このアルミニウムや銅は安価で、エッチング等の加工性が良く、良好な特性を得るためのアンテナ６の材料として好適である。
【００２６】
また、非接触式ＩＣタグ４は、ＵＨＦ帯のマイクロ波を使用する無線方式のものとされ、アンテナ６として形状が棒状となるダイポールアンテナを用いることで良好な通信特性を得られるため、電子タグ１として形状を細型化することができる。ＩＣチップ５は、個別情報をＲＯＭによって構成しておくことが好ましく、このＩＣチップ５に固有のＩＤのみをＲＯＭによって構成入力しておくことで、この固有ＩＤをネットワーク上で管理すれば、小型で安価で、改ざん不可能なＩＣチップ５とすることができる。
【００２７】
さらに、図４、図５はこの電子タグ１の断面図の一例を示しているが、磁気式タグ３及び非接触式ＩＣタグ４が搭載されるテープ材２を省略している。そして、図５に示すように、磁気式タグ３と非接触式ＩＣタグ４の上面に粘着層８を有するカバーフィルム９を装備することもできる。このカバーフィルム９もキャリア層７と同様に、その幅や長さが規制されるものではない。
【００２８】
そして、図６乃至図１０は磁気式タグ３と非接触式ＩＣタグ４を一部重合させた例を示している。この一部重合の場合の基本構成は図６に示す平面図のようになる。本実施例の場合、テープ材２には非接触式ＩＣタグ４のみを搭載し、別異のベースとなるテープ材２ａに磁気式タグ３を搭載し、その二つのテープ材２、２ａを合わせ、挟持する形態として重合構成としてある。
【００２９】
かかる構成とすることによって、磁気式タグ３、特にアモルファスが使用された磁気式タグ３が存在していても、予めインピーダンス整合が取れるようにアンテナ６の長さが調整された非接触式ＩＣタグ４とすることで、電子タグ１を構成する非接触式ＩＣタグ４は良好な情報信号を伝送することが可能、即ち、インピーダンス整合をとることができるものとなっている。
【００３０】
さらに、図６乃至図１０に示した重合構成の場合、非接触式ＩＣタグ４が単体で通信可能な状態にインピーダンス整合がとられており、かつ磁気式タグ３を構成する金属部分に、非接触式ＩＣタグ４を構成するＩＣチップ５が重合していないことで、良好な情報信号を伝送することが可能となっている。
【００３１】
本願発明は上記のように構成されているので、従来は装備が困難であった、極細幅の商品等にも十分に対応し、装備が可能となり、わずかな隙間にも挿入装備することができる。
【符号の説明】
【００３２】
１    電子タグ
２    テープ材
２ａ  テープ材
３    磁気式タグ
４    非接触式ＩＣタグ
５    ＩＣチップ
６    アンテナ
７    キャリア層
８    粘着層
９    カバーフィルム
【図１】
2012103766.tif 000003
【図２】
2012103766.tif 000004
【図３】
2012103766.tif 000005
【図４】
2012103766.tif 000006
【図５】
2012103766.tif 000007
【図６】
2012103766.tif 000008
【図７】
2012103766.tif 000009
【図８】
2012103766.tif 000010
【図９】
2012103766.tif 000011
【図１０】
2012103766.tif 000012